(57)【要約】  第５世代移動通信技術５Ｇ通信システムに適用する、無線ローカルエリアネットワークにアクセスする方法、端末装置、及びネットワーク装置を提供し、該方法は、端末装置がネットワーク装置から送信された第１無線リソース制御（ＲＲＣ）シグナリングを受信し、該第１ＲＲＣシグナリングは、該ネットワーク装置により決定された、該端末装置が無線ローカルエリアネットワークにアクセスするための第１情報を含むことと、該端末装置が該第１情報に基づいて該無線ローカルエリアネットワークにアクセスすることと、を含む。本発明の実施例の無線ローカルエリアネットワークにアクセスする方法では、５Ｇ通信システムに対して、ＲＲＣシグナリングを強化することで、一部又は全部のトラフィックをＷＬＡＮ又は無許可帯域に移動して、許可帯域リソースの節約を実現できる。
2021512515.tif 000002
【特許請求の範囲】
【請求項１】
第５世代移動通信技術５Ｇ通信システムに適用する、無線ローカルエリアネットワークにアクセスする方法であって、前記方法は、
端末装置がネットワーク装置から送信された第１無線リソース制御（ＲＲＣ）シグナリングを受信し、前記第１ＲＲＣシグナリングは、前記ネットワーク装置により決定された、前記端末装置が無線ローカルエリアネットワークにアクセスするための第１情報を含むことと、
前記端末装置が前記第１情報に基づいて、前記無線ローカルエリアネットワークにアクセスすることと、を含むことを特徴とする無線ローカルエリアネットワークにアクセスする方法。
【請求項２】
前記第１情報は、
前記端末装置の位置するセル内のアクセスポイント（ＡＰ）情報、前記端末装置が前記ＡＰにアクセスするかどうかを決定するためのパラメータ、及び前記ＡＰのバックホールリンク容量情報のうちの少なくとも１つの情報を含み、
前記端末装置が前記第１情報に基づいて、前記無線ローカルエリアネットワークにアクセスすることは、
前記端末装置が前記第１情報に基づいて、ターゲットＡＰを決定することと、
前記端末装置が前記ターゲットＡＰを介して、前記無線ローカルエリアネットワークにアクセスすることと、を含むことを特徴とする請求項１に記載の方法。
【請求項３】
前記ＡＰ情報は前記端末装置が利用可能な少なくとも１つのＡＰの識別情報を含み、前記ＡＰ情報は、前記ネットワーク装置が、
前記端末装置の位置するセクタ、前記端末装置の有するビーム、前記端末装置の全地球測位システム（ＧＰＳ）情報、及び前記端末装置のパスロスのうちの少なくとも１つの情報に基づいて決定した情報であることを特徴とする請求項２に記載の方法。
【請求項４】
前記識別情報はＡＰのサービスセット識別子（ＳＳＩＤ）を含むことを特徴とする請求項３に記載の方法。
【請求項５】
前記パラメータは前記ネットワーク装置が特定アクセスポイント（ＡＰ）の信号品質測定レポートに基づいて決定した情報であり、
前記端末装置がネットワーク装置から送信された第１無線リソース制御（ＲＲＣ）シグナリングを受信する前に、前記方法は更に、
前記端末装置が前記ネットワーク装置から送信された指示情報を受信し、前記指示情報は前記特定ＡＰの信号品質に対して測定を行うように前記端末装置に指示することに用いられることと、
前記端末装置が前記ネットワーク装置に前記信号品質測定レポートを送信することと、を含むことを特徴とする請求項２に記載の方法。
【請求項６】
前記指示情報はより具体的に、前記特定ＡＰの有するビームの送信時間及び／又は前記特定ＡＰの有するチャネルを示すことに用いられることを特徴とする請求項５に記載の方法。
【請求項７】
前記特定ＡＰの有するビームの送信時間及び／又は前記特定ＡＰの有するチャネルは、前記ネットワーク装置が前記ネットワーク装置と前記特定ＡＰとの間の論理インタフェースを介して取得した情報であることを特徴とする請求項６に記載の方法。
【請求項８】
前記特定ＡＰは特定サービスセット識別子（ＳＳＩＤ）を有するＡＰであることを特徴とする請求項５〜７のいずれか１項に記載の方法。
【請求項９】
前記パラメータは受信信号強度指示（ＲＳＳＩ）を含むことを特徴とする請求項５〜８のいずれか１項に記載の方法。
【請求項１０】
前記端末装置が前記ネットワーク装置から送信された指示情報を受信することは、
前記端末装置が前記ネットワーク装置から送信された第２無線リソース制御（ＲＲＣ）シグナリングを受信し、前記第２ＲＲＣシグナリングは前記指示情報を含むことを含むことを特徴とする請求項５〜９のいずれか１項に記載の方法。
【請求項１１】
第５世代移動通信技術５Ｇ通信システムに適用する、無線ローカルエリアネットワークにアクセスする方法であって、前記方法は、
ネットワーク装置が、端末装置が無線ローカルエリアネットワークにアクセスするための第１情報を決定することと、
前記ネットワーク装置が前記端末装置に第１無線リソース制御（ＲＲＣ）シグナリングを送信し、前記第１ＲＲＣシグナリングは前記第１情報を含み、それによって前記端末装置は前記第１情報に基づいて前記無線ローカルエリアネットワークにアクセスすることと、を含むことを特徴とする無線ローカルエリアネットワークにアクセスする方法。
【請求項１２】
前記第１情報は、
前記端末装置の位置するセル内のアクセスポイント（ＡＰ）情報、前記端末装置が前記ＡＰにアクセスするかどうかを決定するためのパラメータ、及び前記ＡＰのバックホールリンク容量情報のうちの少なくとも１つの情報を含むことを特徴とする請求項１１に記載の方法。
【請求項１３】
前記ＡＰ情報は前記端末装置が利用可能な少なくとも１つのＡＰの識別情報を含み、
前記ネットワーク装置が、端末装置が無線ローカルエリアネットワークにアクセスするための第１情報を決定することは、
前記ネットワーク装置が、
前記端末装置の位置するセクタ、前記端末装置の有するビーム、前記端末装置の全地球測位システム（ＧＰＳ）情報、及び前記端末装置のパスロスのうちの少なくとも１つの情報に基づいて、前記ＡＰ情報を決定することを含むことを特徴とする請求項１２に記載の方法。
【請求項１４】
前記識別情報は前記ＡＰのサービスセット識別子（ＳＳＩＤ）を含むことを特徴とする請求項１３に記載の方法。
【請求項１５】
前記ネットワーク装置が、端末装置が無線ローカルエリアネットワークにアクセスするための第１情報を決定する前に、前記方法は更に、
前記ネットワーク装置が前記端末装置に指示情報を送信し、前記指示情報は特定アクセスポイント（ＡＰ）の信号品質に対して測定を行うように前記端末装置に指示することに用いられることと、
前記ネットワーク装置が前記端末装置から送信された前記特定ＡＰの信号品質測定レポートを受信することと、を含み、
前記ネットワーク装置が、端末装置が無線ローカルエリアネットワークにアクセスするための第１情報を決定することは、
前記ネットワーク装置が前記信号品質測定レポートに基づいて、前記パラメータを決定することを含むことを特徴とする請求項１２に記載の方法。
【請求項１６】
前記指示情報はより具体的に、前記特定ＡＰの有するビームの送信時間及び／又は前記特定ＡＰの有するチャネルを示すことに用いられることを特徴とする請求項１５に記載の方法。
【請求項１７】
前記ネットワーク装置が前記端末装置に指示情報を送信する前に、前記方法は更に、
前記ネットワーク装置が前記ネットワーク装置と前記特定ＡＰとの間の論理インタフェースを介して、前記特定ＡＰの有するビームの送信時間及び／又は前記特定ＡＰの有するチャネルを取得することを含むことを特徴とする請求項１６に記載の方法。
【請求項１８】
前記特定ＡＰは特定サービスセット識別子（ＳＳＩＤ）を有するＡＰであることを特徴とする請求項１５〜１７のいずれか１項に記載の方法。
【請求項１９】
前記パラメータは受信信号強度指示（ＲＳＳＩ）を含むことを特徴とする請求項１５〜１８のいずれか１項に記載の方法。
【請求項２０】
前記ネットワーク装置が前記端末装置に指示情報を送信することは、
前記ネットワーク装置が前記端末装置に第２無線リソース制御（ＲＲＣ）シグナリングを送信し、前記第２ＲＲＣシグナリングは前記指示情報を含むことを含むことを特徴とする請求項１５〜１９のいずれか１項に記載の方法。
【請求項２１】
第５世代移動通信技術５Ｇ通信システムに適用する端末装置であって、前記端末装置は、
ネットワーク装置から送信された第１無線リソース制御（ＲＲＣ）シグナリングを受信し、前記第１ＲＲＣシグナリングは、前記ネットワーク装置により決定された、前記端末装置が無線ローカルエリアネットワークにアクセスするための第１情報を含むことに用いられる送受信ユニットと、
前記第１情報に基づいて前記無線ローカルエリアネットワークにアクセスすることに用いられる処理ユニットと、を含むことを特徴とする端末装置。
【請求項２２】
前記第１情報は、
前記端末装置の位置するセル内のアクセスポイント（ＡＰ）情報、前記端末装置が前記ＡＰにアクセスするかどうかを決定するためのパラメータ、及び前記ＡＰのバックホールリンク容量情報のうちの少なくとも１つの情報を含み、
前記処理ユニットは具体的に、
前記第１情報に基づいて、ターゲットＡＰを決定することと、
前記ターゲットＡＰを介して、前記無線ローカルエリアネットワークにアクセスすることとに用いられることを特徴とする請求項２１に記載の端末装置。
【請求項２３】
前記ＡＰ情報は前記端末装置が利用可能な少なくとも１つのＡＰの識別情報を含み、前記ＡＰ情報は、前記ネットワーク装置が、
前記端末装置の位置するセクタ、前記端末装置の有するビーム、前記端末装置の全地球測位システム（ＧＰＳ）情報、及び前記端末装置のパスロスのうちの少なくとも１つの情報に基づいて決定した情報であることを特徴とする請求項２２に記載の端末装置。
【請求項２４】
前記識別情報はＡＰのサービスセット識別子（ＳＳＩＤ）を含むことを特徴とする請求項２３に記載の端末装置。
【請求項２５】
前記パラメータは前記ネットワーク装置が特定アクセスポイント（ＡＰ）の信号品質測定レポートに基づいて決定した情報であり、
前記送受信ユニットは更に、
前記ネットワーク装置から送信された第１ＲＲＣシグナリングを受信する前に、前記ネットワーク装置から送信された指示情報を受信し、前記指示情報は前記特定ＡＰの信号品質に対して測定を行うように前記端末装置に指示することに用いられることと、
前記ネットワーク装置に前記信号品質測定レポートを送信することとに用いられることを特徴とする請求項２２に記載の端末装置。
【請求項２６】
前記指示情報はより具体的に、前記特定ＡＰの有するビームの送信時間及び／又は前記特定ＡＰの有するチャネルを示すことに用いられることを特徴とする請求項２５に記載の端末装置。
【請求項２７】
前記特定ＡＰの有するビームの送信時間及び／又は前記特定ＡＰの有するチャネルは、前記ネットワーク装置が前記ネットワーク装置と前記特定ＡＰとの間の論理インタフェースを介して取得した情報であることを特徴とする請求項２６に記載の端末装置。
【請求項２８】
前記特定ＡＰは特定サービスセット識別子（ＳＳＩＤ）を有するＡＰであることを特徴とする請求項２５〜２７のいずれか１項に記載の端末装置。
【請求項２９】
前記パラメータは受信信号強度指示（ＲＳＳＩ）を含むことを特徴とする請求項２５〜２８のいずれか１項に記載の端末装置。
【請求項３０】
前記送受信ユニットはより具体的に、
前記ネットワーク装置から送信された第２無線リソース制御（ＲＲＣ）シグナリングを受信し、前記第２ＲＲＣシグナリングは前記指示情報を含むことを特徴とする請求項２５〜２９のいずれか１項に記載の端末装置。
【請求項３１】
第５世代移動通信技術５Ｇ通信システムに適用するネットワーク装置であって、前記ネットワーク装置は、
端末装置が無線ローカルエリアネットワークにアクセスするための第１情報を決定することに用いられる処理ユニットと、
前記端末装置に第１無線リソース制御（ＲＲＣ）シグナリングを送信し、前記第１ＲＲＣシグナリングは前記第１情報を含み、それによって前記端末装置は前記第１情報に基づいて前記無線ローカルエリアネットワークにアクセスすることに用いられる送受信ユニットと、を含むことを特徴とするネットワーク装置。
【請求項３２】
前記第１情報は、
前記端末装置の位置するセル内のアクセスポイント（ＡＰ）情報、前記端末装置が前記ＡＰにアクセスするかどうかを決定するためのパラメータ、及び前記ＡＰのバックホールリンク容量情報のうちの少なくとも１つの情報を含むことを特徴とする請求項３１に記載のネットワーク装置。
【請求項３３】
前記ＡＰ情報は前記端末装置が利用可能な少なくとも１つのＡＰの識別情報を含み、
前記処理ユニットは具体的に、
前記端末装置の位置するセクタ、前記端末装置の有するビーム、前記端末装置の全地球測位システム（ＧＰＳ）情報、及び前記端末装置のパスロスのうちの少なくとも１つの情報に基づいて、前記ＡＰ情報を決定することに用いられることを特徴とする請求項３２に記載のネットワーク装置。
【請求項３４】
前記識別情報は前記ＡＰのサービスセット識別子（ＳＳＩＤ）を含むことを特徴とする請求項３３に記載のネットワーク装置。
【請求項３５】
前記送受信ユニットは更に、
前記処理ユニットが前記第１情報を決定する前に、前記端末装置に指示情報を送信し、前記指示情報は特定アクセスポイント（ＡＰ）の信号品質に対して測定を行うように前記端末装置に指示することに用いられることと、
前記端末装置から送信された前記特定ＡＰの信号品質測定レポートを受信することとに用いられ、
前記処理ユニットは具体的に、
前記信号品質測定レポートに基づいて、前記パラメータを決定することに用いられることを特徴とする請求項３２に記載のネットワーク装置。
【請求項３６】
前記指示情報はより具体的に、前記特定ＡＰの有するビームの送信時間及び／又は前記特定ＡＰの有するチャネルを示すことに用いられることを特徴とする請求項３５に記載のネットワーク装置。
【請求項３７】
処理ユニットは更に、
前記送受信ユニットが前記端末装置に前記指示情報を送信する前に、前記ネットワーク装置と前記特定ＡＰとの間の論理インタフェースを介して、前記特定ＡＰの有するビームの送信時間及び／又は前記特定ＡＰの有するチャネルを取得することに用いられることを特徴とする請求項３６に記載のネットワーク装置。
【請求項３８】
前記特定ＡＰは特定サービスセット識別子（ＳＳＩＤ）を有するＡＰであることを特徴とする請求項３５〜３７のいずれか１項に記載のネットワーク装置。
【請求項３９】
前記パラメータは受信信号強度指示（ＲＳＳＩ）を含むことを特徴とする請求項３５〜３８のいずれか１項に記載のネットワーク装置。
【請求項４０】
前記送受信ユニットはより具体的に、
前記端末装置に第２無線リソース制御（ＲＲＣ）シグナリングを送信し、前記第２ＲＲＣシグナリングは前記指示情報を含むことに用いられることを特徴とする請求項３５〜３９のいずれか１項に記載のネットワーク装置。
【発明の詳細な説明】
【技術分野】
【０００１】
本発明の実施例は通信分野に関し、より具体的に、無線ローカルエリアネットワークにアクセスする方法、端末装置、及びネットワーク装置に関する。
【背景技術】
【０００２】
第３世代パートナーシッププロジェクト（３ＧＰＰ、Ｔｈｅ  ３ｒｄ  Ｇｅｎｅｒａｔｉｏｎ  Ｐａｒｔｎｅｒｓｈｉｐ  Ｐｒｏｊｅｃｔ）はロングタームエボリューション（ＬＴＥ、Ｌｏｎｇ  Ｔｅｒｍ  Ｅｖｏｌｕｔｉｏｎ）システムから、無線ローカルエリアネットワーク（ＷＬＡＮ、Ｗｉｒｅｌｅｓｓ  ＬＡＮ）との疎結合相互運用、及び密結合ソリューションと無許可アクセス技術を導入し始めた。第５世代移動通信技術（５Ｇ、５−Ｇｅｎｅｒａｔｉｏｎ）の新エアインタフェース（ＮＲ、Ｎｅｗ  Ｒａｄｉｏ）もＷＬＡＮを含む無許可アクセス技術へのアクセスをサポートする必要があり、それによって、サービス品質（ＱｏＳ、Ｑｕａｌｉｔｙ  ｏｆ  ｓｅｒｖｉｃｅ）のニーズを考慮した上で、一部又は全部のトラフィックをＷＬＡＮ又は無許可帯域に移動して、セルラネットワークの許可帯域リソースの節約を実現できる。
【０００３】
しかし、ＬＴＥと５Ｇ  ＮＲの間に互換性がないため、ＬＴＥシステムでの疎結合相互運用、及び密結合ソリューションと無許可アクセス技術を簡単に５Ｇ  ＮＲに適用できない。
【０００４】
現在、５Ｇ  ＮＲの無許可アクセス及びＷＬＡＮのＲＡＮ側でのアクセスについては、まだ具体的な案はない。
【発明の概要】
【発明が解決しようとする課題】
【０００５】
無線ローカルエリアネットワークにアクセスする方法、端末装置、及びネットワーク装置を提供し、５Ｇ  ＮＲの無線リソース制御（ＲＲＣ、Ｒａｄｉｏ  Ｒｅｓｏｕｒｃｅ  Ｃｏｎｔｒｏｌ）シグナリングを強化することで端末装置のＷＬＡＮを設定し、それによって、端末装置はターゲットアクセスポイント（ＡＰ、Ａｃｃｅｓｓ  Ｐｏｉｎｔ）を発見し、そして該ターゲットＡＰを介してＷＬＡＮにアクセスできる。
【課題を解決するための手段】
【０００６】
第１態様は第５世代移動通信技術５Ｇ通信システムに適用する、無線ローカルエリアネットワークにアクセスする方法を提供し、前記方法は、
端末装置がネットワーク装置から送信された第１無線リソース制御（ＲＲＣ）シグナリングを受信し、前記第１ＲＲＣシグナリングは、前記ネットワーク装置により決定された、前記端末装置が無線ローカルエリアネットワークにアクセスするための第１情報を含むことと、
前記端末装置が前記第１情報に基づいて、前記無線ローカルエリアネットワークにアクセスすることと、を含む。
【０００７】
本発明の実施例の無線ローカルエリアネットワークにアクセスする方法では、５Ｇ通信システムに対して、ＲＲＣシグナリングを強化することで、一部又は全部のトラフィックをＷＬＡＮ又は無許可帯域に移動して、許可帯域リソースの節約を実現できる。
【０００８】
幾つかの可能な実現方式では、前記第１情報は、
前記端末装置の位置するセル内のアクセスポイント（ＡＰ）情報、前記端末装置が前記ＡＰにアクセスするかどうかを決定するためのパラメータ、及び前記ＡＰのバックホールリンク容量情報のうちの少なくとも１つの情報を含み、
前記端末装置が前記第１情報に基づいて、前記無線ローカルエリアネットワークにアクセスすることは、
前記端末装置が前記第１情報に基づいて、ターゲットＡＰを決定することと、前記端末装置が前記ターゲットＡＰを介して、前記無線ローカルエリアネットワークにアクセスすることと、を含む。
【０００９】
幾つかの可能な実現方式では、前記ＡＰ情報は前記端末装置が利用可能な少なくとも１つのＡＰの識別情報を含み、前記ＡＰ情報は、前記ネットワーク装置が、
前記端末装置の位置するセクタ、前記端末装置の有するビーム、前記端末装置の全地球測位システム（ＧＰＳ）情報、及び前記端末装置のパスロスのうちの少なくとも１つの情報に基づいて決定した情報である。
【００１０】
幾つかの可能な実現方式では、前記識別情報はＡＰのサービスセット識別子（ＳＳＩＤ）を含む。
【００１１】
幾つかの可能な実現方式では、前記パラメータは前記ネットワーク装置が特定アクセスポイント（ＡＰ）の信号品質測定レポートに基づいて決定した情報であり、
前記端末装置がネットワーク装置から送信された第１無線リソース制御（ＲＲＣ）シグナリングを受信する前に、前記方法は更に、
前記端末装置が前記ネットワーク装置から送信された指示情報を受信し、前記指示情報は前記特定ＡＰの信号品質に対して測定を行うように前記端末装置に指示することに用いられることと、前記端末装置が前記ネットワーク装置に前記信号品質測定レポートを送信することと、を含む。
【００１２】
幾つかの可能な実現方式では、前記指示情報はより具体的に、前記特定ＡＰの有するビームの送信時間及び／又は前記特定ＡＰの有するチャネルを示すことに用いられる。
【００１３】
幾つかの可能な実現方式では、前記特定ＡＰの有するビームの送信時間及び／又は前記特定ＡＰの有するチャネルは、前記ネットワーク装置が前記ネットワーク装置と前記特定ＡＰとの間の論理インタフェースを介して取得した情報である。
【００１４】
幾つかの可能な実現方式では、前記特定ＡＰは特定サービスセット識別子（ＳＳＩＤ）を有するＡＰである。
【００１５】
幾つかの可能な実現方式では、前記パラメータは、受信信号強度指示（ＲＳＳＩ）を含む。
【００１６】
幾つかの可能な実現方式では、前記端末装置が前記ネットワーク装置から送信された指示情報を受信することは、
前記端末装置が前記ネットワーク装置から送信された第２無線リソース制御（ＲＲＣ）シグナリングを受信し、前記第２ＲＲＣシグナリングは前記指示情報を含むことを含む。
【００１７】
第２態様は第５世代移動通信技術５Ｇ通信システムに適用する、無線ローカルエリアネットワークにアクセスする方法を提供し、前記方法は、
ネットワーク装置が、端末装置が無線ローカルエリアネットワークにアクセスするための第１情報を決定することと、
前記ネットワーク装置が前記端末装置に第１無線リソース制御（ＲＲＣ）シグナリングを送信し、前記第１ＲＲＣシグナリングは前記第１情報を含み、それによって前記端末装置は前記第１情報に基づいて前記無線ローカルエリアネットワークにアクセスすることと、を含む。
【００１８】
幾つかの可能な実現方式では、前記第１情報は、
前記端末装置の位置するセル内のアクセスポイント（ＡＰ）情報、前記端末装置が前記ＡＰにアクセスするかどうかを決定するためのパラメータ、及び前記ＡＰのバックホールリンク容量情報のうちの少なくとも１つの情報を含む。
【００１９】
幾つかの可能な実現方式では、前記ＡＰ情報は前記端末装置が利用可能な少なくとも１つのＡＰの識別情報を含み、
前記ネットワーク装置が、端末装置が無線ローカルエリアネットワークにアクセスするための第１情報を決定することは、
前記ネットワーク装置が、前記端末装置の位置するセクタ、前記端末装置の有するビーム、前記端末装置の全地球測位システム（ＧＰＳ）情報、及び前記端末装置のパスロスのうちの少なくとも１つの情報に基づいて、前記ＡＰ情報を決定することを含む。
【００２０】
幾つかの可能な実現方式では、前記識別情報は前記ＡＰのサービスセット識別子（ＳＳＩＤ）を含む。
【００２１】
幾つかの可能な実現方式では、前記ネットワーク装置が、端末装置が無線ローカルエリアネットワークにアクセスするための第１情報を決定する前に、前記方法は更に、
前記ネットワーク装置が前記端末装置に指示情報を送信し、前記指示情報は特定アクセスポイント（ＡＰ）の信号品質に対して測定を行うように前記端末装置に指示することに用いられることと、前記ネットワーク装置が前記端末装置から送信された前記特定ＡＰの信号品質測定レポートを受信することと、を含み、
前記ネットワーク装置が、端末装置が無線ローカルエリアネットワークにアクセスするための第１情報を決定するは、
前記ネットワーク装置が前記信号品質測定レポートに基づいて、前記パラメータを決定することを含む。
【００２２】
幾つかの可能な実現方式では、前記指示情報はより具体的に、前記特定ＡＰの有するビームの送信時間及び／又は前記特定ＡＰの有するチャネルを示すことに用いられる。
【００２３】
幾つかの可能な実現方式では、前記ネットワーク装置が前記端末装置に指示情報を送信する前に、前記方法は更に、
前記ネットワーク装置が前記ネットワーク装置と前記特定ＡＰとの間の論理インタフェースを介して、前記特定ＡＰの有するビームの送信時間及び／又は前記特定ＡＰの有するチャネルを取得することを含む。
【００２４】
幾つかの可能な実現方式では、前記特定ＡＰは特定サービスセット識別子（ＳＳＩＤ）を有するＡＰである。
【００２５】
幾つかの可能な実現方式では、前記パラメータは、受信信号強度指示（ＲＳＳＩ）を含む。
【００２６】
幾つかの可能な実現方式では、前記ネットワーク装置が前記端末装置に指示情報を送信することは、
前記ネットワーク装置が前記端末装置に第２無線リソース制御（ＲＲＣ）シグナリングを送信し、前記第２ＲＲＣシグナリングは前記指示情報を含むことを含む。
【００２７】
第３態様は第５世代移動通信技術５Ｇ通信システムに適用する端末装置を提供し、前記端末装置は、
ネットワーク装置から送信された第１無線リソース制御（ＲＲＣ）シグナリングを受信し、前記第１ＲＲＣシグナリングは、前記ネットワーク装置により決定された、前記端末装置が無線ローカルエリアネットワークにアクセスするための第１情報を含むことに用いられる送受信ユニットと、
前記第１情報に基づいて前記無線ローカルエリアネットワークにアクセスすることに用いられる処理ユニットと、を含む。
【００２８】
第４態様は第５世代移動通信技術５Ｇ通信システムに適用する端末装置を提供し、前記端末装置は、
ネットワーク装置から送信された第１無線リソース制御（ＲＲＣ）シグナリングを受信し、前記第１ＲＲＣシグナリングは、前記ネットワーク装置により決定された、前記端末装置が無線ローカルエリアネットワークにアクセスするための第１情報を含むことに用いられる送受信機と、
前記第１情報に基づいて前記無線ローカルエリアネットワークにアクセスするためのプロセッサと、を含む。
【００２９】
第５態様は第５世代移動通信技術５Ｇ通信システムに適用するネットワーク装置を提供し、前記ネットワーク装置は、
端末装置が無線ローカルエリアネットワークにアクセスするための第１情報を決定することに用いられる処理ユニットと、
前記端末装置に第１無線リソース制御（ＲＲＣ）シグナリングを送信し、前記第１ＲＲＣシグナリングは前記第１情報を含み、それによって前記端末装置は前記第１情報に基づいて前記無線ローカルエリアネットワークにアクセスすることに用いられる送受信ユニットと、を含む。
【００３０】
第６態様は第５世代移動通信技術５Ｇ通信システムに適用するネットワーク装置を提供し、前記ネットワーク装置は、
端末装置が無線ローカルエリアネットワークにアクセスするための第１情報を決定することに用いられるプロセッサと、
前記端末装置に第１無線リソース制御（ＲＲＣ）シグナリングを送信し、前記第１ＲＲＣシグナリングは前記第１情報を含み、それによって前記端末装置は前記第１情報に基づいて前記無線ローカルエリアネットワークにアクセスすることに用いられる送受信機と、を含む。
【００３１】
第７態様はコンピュータプログラムを記憶するためのコンピュータ可読媒体を提供し、該コンピュータプログラムは、上記第１態様又は第２態様の方法実施例を実行するための命令を含む。
【００３２】
第８態様はコンピュータチップを提供し、該コンピュータチップは入力インタフェース、出力インタフェース、少なくとも１つのプロセッサ、メモリを含み、前記プロセッサは前記メモリにおけるコードを実行することに用いられ、前記コードが実行される時、前記プロセッサは上記第１態様又は第２態様における無線ローカルエリアネットワークにアクセスする方法におけるネットワーク装置より実行される各過程を実現できる。
【００３３】
第９態様はコンピュータチップを提供し、該コンピュータチップは入力インタフェース、出力インタフェース、少なくとも１つのプロセッサ、メモリを含み、前記プロセッサは前記メモリにおけるコードを実行することに用いられ、前記コードが実行される時、前記プロセッサは上記第１態様又は第２態様における無線ローカルエリアネットワークにアクセスする方法における端末装置より実行される各過程を実現できる。
【００３４】
第１０態様は前述したネットワーク装置と端末装置を含む通信システムを提供する。
【図面の簡単な説明】
【００３５】
【図１】図１は本発明の応用シーンの例である。
【図２】図２は本発明の実施例の無線ローカルエリアネットワークにアクセスする方法の模式的なフローチャートである。
【図３】図３は本発明の実施例のＡＰの位置及びビームの模式図である。
【図４】図４は本発明の実施例の端末装置の模式的なブロック図である。
【図５】図５は本発明の実施例の他の端末装置の模式的なブロック図である。
【図６】図６は本発明の実施例のネットワーク装置の模式的なブロック図である。
【図７】図７は本願実施例の他のネットワーク装置の模式的なブロック図である。
【発明を実施するための形態】
【００３６】
図１は本願実施例の５Ｇ応用シーンの模式図である。
【００３７】
図１に示すように、通信システム１００は端末装置１１０とネットワーク装置１２０を含んでもよい。ネットワーク装置１２０はエアインタフェースを介して端末装置１１０と通信できる。端末装置１１０とネットワーク装置１２０との間はマルチサービス伝送をサポートする。
【００３８】
理解されるように、本発明の実施例は５Ｇ通信システム１００だけで例示的な説明をするが、本発明の実施例はこれには限らない。すなわち、本発明の実施例の技術案は様々な５Ｇ通信システムを含むシーンに応用できる。例えば、５Ｇ通信システムと第１通信システムが混合配置集約シーンを構成する等である。該第１通信システムは任意の通信システム、例えば、グローバル移動体通信（ＧＳＭ、Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ、Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ、Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ、Ｇｅｎｅｒａｌ  Ｐａｃｋｅｔ  Ｒａｄｉｏ  Ｓｅｒｖｉｃｅ）、ロングタームエボリューション（ＬＴＥ、Ｌｏｎｇ  Ｔｅｒｍ  Ｅｖｏｌｕｔｉｏｎ）システム、ＬＴＥ時分割二重（ＴＤＤ、Ｔｉｍｅ  Ｄｉｖｉｓｉｏｎ  Ｄｕｐｌｅｘ）、ユニバーサル移動体通信システム（ＵＭＴＳ、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）等であってもよい。
【００３９】
なお、本発明はネットワーク装置と端末装置を組み合わせながら各実施例を説明する。
【００４０】
ネットワーク装置１２０はネットワーク側の任意の、信号を送信又は受信するためのエンティティ、例えば、５Ｇネットワークにおける基地局装置等を指してもよい。
【００４１】
端末装置１１０は任意の端末装置であってもよい。具体的に、端末装置１１０は、無線アクセスネットワーク（ＲＡＮ、Ｒａｄｉｏ  Ａｃｃｅｓｓ  Ｎｅｔｗｏｒｋ）を介して１つ又は複数のコアネットワーク（Ｃｏｒｅ  Ｎｅｔｗｏｒｋ）と通信でき、アクセス端末、ユーザ機器（ＵＥ、Ｕｓｅｒ  Ｅｑｕｉｐｍｅｎｔ）、加入者ユニット、加入者局、移動局、トラバーサー、遠隔局、遠隔端末、移動機器、ユーザ端末、端末、無線通信機器、ユーザエージェント、又はユーザ装置と称されてもよい。例えば、セルラー方式の電話、コードレス電話、セッション開始プロトコル（ＳＩＰ、Ｓｅｓｓｉｏｎ  Ｉｎｉｔｉａｔｉｏｎ  Ｐｒｏｔｏｃｏｌ）電話、ワイヤレスローカルループ（ＷＬＬ、Ｗｉｒｅｌｅｓｓ  Ｌｏｃａｌ  Ｌｏｏｐ）局、パーソナルデジタルアシスタント（ＰＤＡ、Ｐｅｒｓｏｎａｌ  Ｄｉｇｉｔａｌ  Ａｓｓｉｓｔａｎｔ）、無線通信機能を備えたハンドヘルド装置、計算装置又は無線モデムに接続された他の処理装置、車載装置、ウェアラブル装置等であってもよい。
【００４２】
理解されるように、ＬＴＥと５Ｇ  ＮＲの間に互換性がないため、図１に示すシーンは、ＬＴＥシステムでの疎結合相互運用、及び密結合ソリューションと無許可アクセス技術に適しない。
【００４３】
従って、本発明の実施例は無線ローカルエリアネットワークにアクセスする方法、端末装置、及びネットワーク装置を提供し、５Ｇ  ＮＲの無線リソース制御（ＲＲＣ、Ｒａｄｉｏ  Ｒｅｓｏｕｒｃｅ  Ｃｏｎｔｒｏｌ）シグナリングを強化することで端末装置のＷＬＡＮを設定し、それによって、端末装置はターゲットアクセスポイント（ＡＰ、Ａｃｃｅｓｓ  Ｐｏｉｎｔ）を発見し、そして該ターゲットＡＰを介してＷＬＡＮにアクセスできる。
【００４４】
図２は本発明の実施例の無線ローカルエリアネットワークにアクセスする方法の模式的なフローチャートである。理解されるように、本発明の実施例の方法は第５世代移動通信技術５Ｇ通信システムに適用できる。
【００４５】
具体的に、図２に示すように、該方法は以下の２１０〜２２０の内容を含む。
【００４６】
２１０では、ネットワーク装置が端末装置に第１ＲＲＣシグナリングを送信し、該第１ＲＲＣシグナリングは、該ネットワーク装置により決定された、該端末装置が無線ローカルエリアネットワークにアクセスするための第１情報を含む。
【００４７】
２２０では、該端末装置が該第１情報に基づいて、無線ローカルエリアネットワークにアクセスする。
【００４８】
具体的に、ネットワーク装置について、ネットワーク装置は該第１情報を決定し、該ネットワーク装置は該端末装置に第１ＲＲＣシグナリングを送信し、該第１ＲＲＣシグナリングは該第１情報を含み、そこで、該端末装置は該第１情報に基づいて該無線ローカルエリアネットワークにアクセスする。端末装置について、該端末装置はネットワーク装置から送信された第１ＲＲＣシグナリングを受信し、該第１ＲＲＣシグナリングは、該ネットワーク装置により決定された、該端末装置が無線ローカルエリアネットワークにアクセスするための第１情報を含み、該端末装置は該第１情報に基づいて該無線ローカルエリアネットワークにアクセスする。
【００４９】
選択肢として、該第１情報は、
該端末装置の位置するセル内のＡＰ情報、該端末装置が該ＡＰにアクセスするかどうかを決定するためのパラメータ、及び該ＡＰのバックホールリンク容量情報のうちの少なくとも１つの情報を含む。
【００５０】
例えば、該ＡＰ情報は、該端末装置が利用可能な少なくとも１つのＡＰの識別情報を含んでもよく、更に、該識別情報はＡＰのサービスセット識別子（ＳＳＩＤ、Ｓｅｒｖｉｃｅ  Ｓｅｔ  Ｉｄｅｎｔｉｆｉｅｒ）を含んでもよい。また例えば、該パラメータは受信信号強度指示（ＲＳＳＩ、Ｒｅｃｅｉｖｅｄ  Ｓｉｇｎａｌ  Ｓｔｒｅｎｇｔｈ  Ｉｎｄｉｃａｔｉｏｎ）を含む。
【００５１】
理解されるように、上記のＡＰ情報とパラメータの具体的な内容はただ例示的な記載であり、本発明の実施例は具体的な限定をしない。
【００５２】
これで、該端末装置は該第１情報に基づいてターゲットＡＰを決定でき、それから、該端末装置は該ターゲットＡＰを介して、該無線ローカルエリアネットワークにアクセスする。即ち、ネットワーク装置は５Ｇ  ＮＲのＲＲＣシグナリングを強化することで端末装置のＷＬＡＮを設定し、それによって、端末装置はターゲットＡＰを発見し、そして該ターゲットＡＰを介してＷＬＡＮにアクセスできる。
【００５３】
言い換えれば、本発明の実施例では、ＷＬＡＮオフロード需要を有する５Ｇ  ＮＲ＋ＷＬＡＮ端末は、ＲＲＣシグナリングを通してネットワーク装置からＷＬＡＮにアクセスするための第１情報を取得し、ＷＬＡＮシステムを発見して測定し、アクセスできるＷＬＡＮネットワークであるかどうかを判断することができ、アクセスできる場合、端末はＷＬＡＮネットワークを介して、該ネットワーク装置又は該ネットワーク装置の接続するコアネットワークへのデータベアラを確立し、該ネットワーク装置のエアインタフェースベアラ上のデータフローをＷＬＡＮインタフェースにオフロードすることを実現し、許可帯域リソースの節約を実現する。
【００５４】
すなわち、本発明の実施例の無線ローカルエリアネットワークにアクセスする方法では、５Ｇ通信システムに対して、一部又は全部のトラフィックをＷＬＡＮ又は無許可帯域に移動して、許可帯域リソースの節約を実現できる。例えば、サービス品質（ＱｏＳ、Ｑｕａｌｉｔｙ  ｏｆ  ｓｅｒｖｉｃｅ）のニーズを考慮した上で、一部又は全部のトラフィックをＷＬＡＮ又は無許可帯域に移動する。
【００５５】
尚、ＲＲＣは容量に制限されず、ユーザ体験が良い。
【００５６】
次は本発明の実施例における、端末装置がＡＰ情報を決定することの実現方式について説明する。
【００５７】
１つの実施例において、該ＡＰ情報は該ネットワーク装置が、
該端末装置の位置するセクタ、該端末装置の有するビーム、該端末装置の全地球測位システム（ＧＰＳ、Ｇｌｏｂａｌ  Ｐｏｓｉｔｉｏｎｉｎｇ  Ｓｙｓｔｅｍ）情報、及び該端末装置のパスロスのうちの少なくとも１つの情報に基づいて決定した情報である。
【００５８】
具体的に、ネットワーク装置は端末装置の位置情報（例えば、ＧＰＳ）に基づいて、該端末装置の位置するセクタ、該端末装置の有するビームを参照して、より正確と豊富なＡＰ情報を端末装置に提供できる。本発明の実施例において、該端末装置の位置するセクタ及び該端末装置の有するビームはビーム（ｂｅａｍ）情報として理解されてもよい。本発明の実施例では、ネットワーク装置は、端末装置がランダムアクセスを開始するｂｅａｍ又はセルラネットワークを介してデータ伝送を行うｂｅａｍに基づいて、該ビーム（ｂｅａｍ）情報を取得してもよいが、本発明の実施例はこれに限らない。
【００５９】
より具体的に、該ｂｅａｍ情報は、１つのセルのカバレッジを複数のセクタに分割し、該端末装置のパスロスに合わせて、セクタ内を更に異なるエリアに分割することに相当する。
【００６０】
例えば、図３に示すように、ネットワーク装置は、上記ｂｅａｍ情報によって、端末装置１１１とＡＰ  １３１が同一のｂｅａｍにあり、端末装置１１２とＡＰ  １３２が同一のｂｅａｍにあることを決定できる。これにより、ネットワーク装置は端末装置１１１のＡＰ情報がＡＰ  １３１のＳＳＩＤであることを決定し、ネットワーク装置は端末装置１１２のＡＰ情報がＡＰ  １３２のＳＳＩＤであることを決定する。即ち、ネットワーク装置はより正確と豊富なＡＰ情報を端末装置に提供する。
【００６１】
分かることができるように、本発明の実施例において、ネットワーク装置が該ＡＰ情報を決定するための情報は完全にＧＰＳ情報に依存することではなく、すなわち、本発明の実施例の方法はアイドル状態の端末装置と非アクティブ状態の端末装置にも適する。
【００６２】
次は本発明の実施例における、端末装置が該パラメータを決定することの実現方式について説明する。
【００６３】
１つの実施例では、該パラメータは該ネットワーク装置が特定アクセスポイント（ＡＰ）の信号品質測定レポートに基づいて決定した情報である。
【００６４】
具体的に、該端末装置は、ネットワーク装置から送信された第１ＲＲＣシグナリング（即ち本発明の実施例における第１情報）を受信する前に、該ネットワーク装置から送信された指示情報を受信してもよく、該指示情報は該特定ＡＰの信号品質に対して測定を行うように該端末装置に指示することに用いられ、該端末装置は該ネットワーク装置に該信号品質測定レポートを送信する。
【００６５】
言い換えれば、該ネットワーク装置は該端末装置に指示情報を送信し、それから、該ネットワーク装置は、該端末装置から送信された該特定ＡＰの信号品質測定レポートを受信し、そして該信号品質測定レポートに基づいて該パラメータを決定する。
【００６６】
理解されるように、本発明の実施例は特定ＡＰの具現化形式については限定しない。
【００６７】
例えば、該指示情報はより具体的に、該特定ＡＰの有するビームの送信時間を示すことに用いられてもよい。該特定ＡＰの有するビームの送信時間は、該ネットワーク装置が該ネットワーク装置と該特定ＡＰとの間の論理インタフェースを介して取得した情報である。これにより、端末装置の特定ＡＰに対する測定は更に時効性と効率性を有することができる。
【００６８】
また例えば、該指示情報はより具体的に、該特定ＡＰの有するチャネルを示すことに用いられてもよい。該特定ＡＰの有するチャネルは、該ネットワーク装置が該ネットワーク装置と該特定ＡＰとの間の論理インタフェースを介して取得した情報である。これにより、端末のＷＬＡＮチャネル品質を測定する効率が効果的に高められることができる。
【００６９】
また例えば、該指示情報はより具体的に、該特定ＡＰの有するビームの送信時間及び／又は該特定ＡＰの有するチャネルを示すことに用いられてもよい。該特定ＡＰの有するビームの送信時間及び／又は該特定ＡＰの有するチャネルは、該ネットワーク装置が該ネットワーク装置と該特定ＡＰとの間の論理インタフェースを介して取得した情報である。これにより、端末装置の特定ＡＰに対する測定が更に時効性と効率性を有することができるだけでなく、端末のＷＬＡＮチャネル品質を測定する効率も効果的に高められることができる。
【００７０】
また例えば、該特定ＡＰは該ネットワーク装置により決定された、特定サービスセット識別子（ＳＳＩＤ）を有するＡＰである。
【００７１】
なお、本発明の実施例における特定ＡＰは直接にネットワーク装置によって決定されてもよい。
【００７２】
選択肢として、該端末装置が該ネットワーク装置から送信された指示情報を受信することは、
該端末装置が該ネットワーク装置から送信された第２ＲＲＣシグナリングを受信し、該第２ＲＲＣシグナリングは該指示情報を含むことを含む。
【００７３】
図４は本発明の実施例の端末装置の模式的なブロック図である。
【００７４】
図４に示すように、該端末装置３００は、
ネットワーク装置から送信された第１無線リソース制御（ＲＲＣ）シグナリングを受信し、該第１ＲＲＣシグナリングは、該ネットワーク装置により決定された、該端末装置が無線ローカルエリアネットワークにアクセスするための第１情報を含むことに用いられる送受信ユニット３１０と、
該第１情報に基づいて該無線ローカルエリアネットワークにアクセスすることに用いられる処理ユニット３２０と、を含む。
【００７５】
選択肢として、該第１情報は、
該端末装置の位置するセル内のアクセスポイント（ＡＰ）情報、該端末装置が該ＡＰにアクセスするかどうかを決定するためのパラメータ、及び該ＡＰのバックホールリンク容量情報のうちの少なくとも１つの情報を含み、
該処理ユニット３２０は具体的に、
該第１情報に基づいて、ターゲットＡＰを決定することと、該ターゲットＡＰを介して、該無線ローカルエリアネットワークにアクセスすることとに用いられる。
【００７６】
選択肢として、該ＡＰ情報は該端末装置が利用可能な少なくとも１つのＡＰの識別情報を含み、該ＡＰ情報は、該ネットワーク装置が、
該端末装置の位置するセクタ、該端末装置の有するビーム、該端末装置の全地球測位システム（ＧＰＳ）情報、及び該端末装置のパスロスのうちの少なくとも１つの情報に基づいて決定した情報である。
【００７７】
選択肢として、該識別情報はＡＰのサービスセット識別子（ＳＳＩＤ）を含む。
【００７８】
選択肢として、該パラメータは該ネットワーク装置が特定アクセスポイント（ＡＰ）の信号品質測定レポートに基づいて決定した情報であり、
該送受信ユニット３１０は更に、
該ネットワーク装置から送信された第１ＲＲＣシグナリングを受信する前に、該ネットワーク装置から送信された指示情報を受信し、該指示情報は該特定ＡＰの信号品質に対して測定を行うように該端末装置に指示することに用いられることと、該ネットワーク装置に該信号品質測定レポートを送信することとに用いられる。
【００７９】
選択肢として、該指示情報はより具体的に、該特定ＡＰの有するビームの送信時間及び／又は該特定ＡＰの有するチャネルを示すことに用いられる。
【００８０】
選択肢として、該特定ＡＰの有するビームの送信時間及び／又は該特定ＡＰの有するチャネルは、該ネットワーク装置が該ネットワーク装置と該特定ＡＰとの間の論理インタフェースを介して取得した情報である。
【００８１】
選択肢として、該特定ＡＰは特定サービスセット識別子（ＳＳＩＤ）を有するＡＰである。
【００８２】
選択肢として、該パラメータは受信信号強度指示（ＲＳＳＩ）を含む。
【００８３】
選択肢として、該送受信ユニット３１０はより具体的に、
該ネットワーク装置から送信された第２無線リソース制御（ＲＲＣ）シグナリングを受信し、該第２ＲＲＣシグナリングは該指示情報を含むことに用いられる。
【００８４】
なお、送受信ユニット３１０は送受信機によって実現されてもよく、処理ユニット３２０はプロセッサによって実現されてもよい。図５に示すように、端末装置４００はプロセッサ４１０、送受信機４２０、及びメモリ４３０を含んでもよい。メモリ４３０は指示情報を記憶することに用いられてもよく、更にプロセッサ４１０の実行するコード、命令等を記憶することに用いられてもよい。端末装置４００における各構成要素はバスシステムを介して相互接続し、バスシステムはデータバスを含む他、更に電源バス、制御バス及び状態信号バスを含む。
【００８５】
図５に示す端末装置４００は前述の図２の方法実施例における端末装置により実現される各過程を実現でき、重複を避けるために、ここでは更に詳しく説明することをしない。
【００８６】
図６は本発明の実施例のネットワーク装置の模式的なブロック図である。
【００８７】
具体的には、図６に示すように、該ネットワーク装置５００は、
端末装置が無線ローカルエリアネットワークにアクセスするための第１情報を決定することに用いられる処理ユニット５１０と、
該端末装置に第１無線リソース制御（ＲＲＣ）シグナリングを送信し、該第１ＲＲＣシグナリングは該第１情報を含み、それによって該端末装置は該第１情報に基づいて該無線ローカルエリアネットワークにアクセスすることに用いられる送受信ユニット５２０と、を含む。
【００８８】
選択肢として、該第１情報は、
該端末装置の位置するセル内のアクセスポイント（ＡＰ）情報、該端末装置が該ＡＰにアクセスするかどうかを決定するためのパラメータ、及び該ＡＰのバックホールリンク容量情報のうちの少なくとも１つの情報を含む。
【００８９】
選択肢として、該ＡＰ情報は該端末装置が利用可能な少なくとも１つのＡＰの識別情報を含み、
該処理ユニット５１０は具体的に、
該端末装置の位置するセクタ、該端末装置の有するビーム、該端末装置の全地球測位システム（ＧＰＳ）情報、及び該端末装置のパスロスのうちの少なくとも１つの情報に基づいて、該ＡＰ情報を決定することに用いられる。
【００９０】
選択肢として、該識別情報は該ＡＰのサービスセット識別子（ＳＳＩＤ）を含む。
【００９１】
選択肢として、該送受信ユニット５２０は更に、
該処理ユニット５１０が該第１情報を決定する前に、該端末装置に指示情報を送信し、該指示情報は特定アクセスポイント（ＡＰ）の信号品質に対して測定を行うように該端末装置に指示することに用いられることと、該端末装置から送信された該特定ＡＰの信号品質測定レポートを受信することとに用いられ、
該処理ユニット５１０は具体的に、
該信号品質測定レポートに基づいて該パラメータを決定することに用いられる。
【００９２】
選択肢として、該指示情報はより具体的に、該特定ＡＰの有するビームの送信時間及び／又は該特定ＡＰの有するチャネルを示すことに用いられる。
【００９３】
選択肢として、処理ユニット５１０は更に、
該送受信ユニット５２０が該端末装置に該指示情報を送信する前に、該ネットワーク装置と該特定ＡＰとの間の論理インタフェースを介して、該特定ＡＰの有するビームの送信時間及び／又は前記特定ＡＰの有するチャネルを取得することに用いられる。
【００９４】
選択肢として、該特定ＡＰは特定サービスセット識別子（ＳＳＩＤ）を有するＡＰである。
【００９５】
選択肢として、該パラメータは受信信号強度指示（ＲＳＳＩ）を含む。
【００９６】
選択肢として、該送受信ユニット５２０はより具体的に、
該端末装置に第２無線リソース制御（ＲＲＣ）シグナリングを送信し、該第２ＲＲＣシグナリングは該指示情報を含むことに用いられる。
【００９７】
なお、処理ユニット５１０はプロセッサによって実現されてもよく、送受信ユニット５２０は送受信機によって実現されてもよい。図７に示すように、ネットワーク装置６００はプロセッサ６１０、送受信機６２０、及びメモリ６３０を含んでもよい。メモリ６３０は指示情報を記憶することに用いられてもよく、更にプロセッサ６１０の実行するコード、命令等を記憶することに用いられてもよい。ネットワーク装置６００における各構成要素はバスシステムを介して相互接続し、バスシステムはデータバスを含む他、更に電源バス、制御バス及び状態信号バスを含む。
【００９８】
図７に示すネットワーク装置６００は前述の図２の方法実施例におけるネットワーク装置により実現される各過程を実現でき、重複を避けるために、ここでは更に詳しく説明することをしない。
【００９９】
理解されるように、本発明の実施例における方法実施例はプロセッサにおいて適用されても、又はプロセッサによって実現されてもよい。
【０１００】
実現過程において、本発明の実施例における方法実施例の各ステップはプロセッサにおけるハードウェアの集積論理回路又はソフトウェア形式の命令で遂行できる。より具体的に、本発明の実施例に開示される方法のステップは、ハードウェアデコードプロセッサで遂行し、又はデコードプロセッサにおけるハードウェア及びソフトウェアモジュールの組み合わせで遂行するように直接具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリに位置し、プロセッサがメモリにおける情報を読み取り、そのハードウェアと組み合わせて上記方法のステップを遂行する。
【０１０１】
プロセッサは信号を処理する能力を有する集積回路チップである可能性があり、本発明の実施例に開示される各方法、ステップ及び論理ブロック図を実現又は実行することができる。例えば、上記のプロセッサは、汎用プロセッサ、デジタル信号プロセッサ（ＤＳＰ、ｄｉｇｉｔａｌ  ｓｉｇｎａｌ  ｐｒｏｃｅｓｓｏｒ）、特定用途向け集積回路（ＡＳＩＣ、ａｐｐｌｉｃａｔｉｏｎ  ｓｐｅｃｉｆｉｃ  ｉｎｔｅｇｒａｔｅｄ  ｃｉｒｃｕｉｔ）、フィールドプログラマブルゲートアレイ（ＦＰＧＡ、ｆｉｅｌｄ  ｐｒｏｇｒａｍｍａｂｌｅ  ｇａｔｅ  ａｒｒａｙ）又は他のプログラマブルロジックデバイス、トランジスタロジックデバイス、個別ハードウェアコンポーネント等であってもよい。また、汎用プロセッサはマイクロプロセッサであってもよく、又は該プロセッサは更に如何なる通常のプロセッサ等であってもよい。
【０１０２】
また、本発明の実施例において、メモリは揮発性メモリ又は不揮発性メモリであってもよく、又は、揮発性メモリ及び不揮発性メモリの両方を含んでもよい。不揮発性メモリは読み出し専用メモリ（ＲＯＭ、ｒｅａｄ−ｏｎｌｙ  ｍｅｍｏｒｙ）、プログラム可能読み出し専用メモリ（ＰＲＯＭ、ｐｒｏｇｒａｍｍａｂｌｅ  ＲＯＭ）、消去可能プログラム可能読み出し専用メモリ（ＥＰＲＯＭ、ｅｒａｓａｂｌｅ  ＰＲＯＭ）、電気的消去可能プログラム可能読み出し専用メモリ（ＥＥＰＲＯＭ、ｅｌｅｃｔｒｉｃａｌｌｙ  ＥＰＲＯＭ）又はフラッシュメモリであってもよい。揮発性メモリはランダムアクセスメモリ（ＲＡＭ、ｒａｎｄｏｍ  ａｃｃｅｓｓ  ｍｅｍｏｒｙ）であってもよく、それが外部キャッシュメモリとして使用される。理解されるように、上記メモリは例示的であって制限的な記載ではなく、例えば、本発明の実施例におけるメモリは更に、スタティックランダムアクセスメモリ（ＳＲＡＭ、ｓｔａｔｉｃ  ＲＡＭ）、ダイナミックランダムアクセスメモリ（ＤＲＡＭ、ｄｙｎａｍｉｃ  ＲＡＭ）、シンクロナスダイナミックランダムアクセスメモリ（ＳＤＲＡＭ、ｓｙｎｃｈｒｏｎｏｕｓ  ＤＲＡＭ）、ダブルデータレートシンクロナスダイナミックランダムアクセスメモリ（ＤＤＲ  ＳＤＲＡＭ、ｄｏｕｂｌｅ  ｄａｔａ  ｒａｔｅ  ＳＤＲＡＭ）、拡張型シンクロナスダイナミックランダムアクセスメモリ（ＥＳＤＲＡＭ、ｅｎｈａｎｃｅｄ  ＳＤＲＡＭ）、シンクリンクダイナミックランダムアクセスメモリ（ＳＬＤＲＡＭ、ｓｙｎｃｈ  ｌｉｎｋ  ＤＲＡＭ）及びダイレクトラムバスランダムアクセスメモリ（ＤＲ  ＲＡＭ、Ｄｉｒｅｃｔ  Ｒａｍｂｕｓ  ＲＡＭ）等であってもよい。すなわち、本明細書に説明されるシステム及び方法のメモリはこれらのメモリ及び任意の他の適切なタイプのメモリを含むが、これらに限らないように意図されている。
【０１０３】
なお、本発明の実施例及び特許請求の範囲において使用される用語は単に特定の実施例を説明するためのものであり、本発明の実施例を制限するためのものではない。
【０１０４】
例えば、本発明の実施例及び特許請求の範囲において使用される単数形の「１つ」、「前記」、及び「該」は、前後の文脈によって他の意味が明確に示された場合を除き、複数形も含むように意図される。
【０１０５】
また例えば、文脈によるが、ここで使用される「…時」は、「もし」又は「…場合」又は「決定に応答して」又は「検出に応答して」という意味に解釈されてもよい。それと似たように、文脈によるが、「もし…決定」又は「もし…（説明した条件又は事件を）検出」という表現は、「決定される時」又は「決定に応答して」又は「（説明した条件又は事件を）検出する時」又は「（説明した条件又は事件を）検出することに応答して」という意味に解釈されてもよい。
【０１０６】
当業者であれば意識できるように、本明細書に開示される実施例で記載される各例示的なユニット及びアルゴリズムステップは、電子ハードウェア、又はコンピュータソフトウェアと電子ハードウェアの組み合わせで実現できる。それらの機能をハードウェアそれともソフトウェア方式で実行するかは、技術案の特定応用及び設計制約条件によって決定される。当業者は各特定応用に対して異なる方法で説明される機能を実現することができるが、そのような実現は本発明の実施例の範囲を超えると見なされるべきではない。
【０１０７】
当業者であれば明確に理解できるように、説明を容易且つ簡単にするために、上記説明されたシステム、装置及びユニットの具体的な動作過程は、前述の方法実施例における対応過程を参照でき、ここでは詳細な説明は省略する。
【０１０８】
本出願の提供する幾つかの実施例において、理解されるように、開示されるシステム、装置及び方法は他の方式で実現されてもよい。例えば、上記の装置の実施例は単に模式的なものであって、例えば、説明したユニットの区分は論理的な機能区分に過ぎず、実際の実施では他の区分方式があってもよく、例えば、複数のユニット又はコンポーネントが組み合わせられても、又は他のシステムに統合されてもよく、又は幾つかの特徴が省略されても、又は実行されなくてもよい。一方、表示又は検討された相互間の結合又は直接結合又は通信接続は、幾つかのインタフェース、装置又はユニットを介した間接結合又は通信接続であってもよく、電気的、機械的、又は他の形態であってもよい。
【０１０９】
分離部材として説明された前記ユニットは物理的に分離してもよく、物理的に分離しなくてもよく、ユニットとして表示された部材は物理ユニットであってもよく、物理ユニットでなくてもよく、すなわち、一箇所に位置してもよく、複数のネットワークユニットに分散されてもよい。実際の需要に応じてその一部又は全部のユニットを選択して、本発明の実施例の目的を実現することができる。
【０１１０】
また、本発明の実施例において、各機能ユニットが１つの処理ユニットに集積されてもよく、各ユニットが独立して物理的に存在してもよく、２つ以上のユニットが１つのユニットに集積されてもよい。
【０１１１】
もしソフトウェア機能ユニットの形で実現され、そして独立した製品として販売又は使用される場合、コンピュータ読み取り可能な記憶媒体に記憶されてもよい。このような理解に基づき、本発明の実施例の技術案の本質又は従来技術に貢献する部分又は該技術案の一部はソフトウェア製品の形式で具現されてもよく、該コンピュータソフトウェア製品は１つの記憶媒体に記憶され、そして該コンピュータソフトウェア製品は、１台のコンピュータ装置（パーソナルコンピュータ、サーバ、又はネットワーク装置等であってもよい）に本発明の実施例に記載の方法の全部又は一部のステップを実行させるための若干の命令を含む。前述の記憶媒体は、ＵＳＢディスク、リムーバブルハードディスク、読み出し専用メモリ、ランダムアクセスメモリ、磁気ディスク又は光ディスク等、プログラムコードを記憶できる各種の媒体を含む。
【０１１２】
上記内容は本発明の実施例の具体的な実施形態に過ぎず、本発明の実施例の保護範囲はこれに限定されるものではなく、当業者は本発明の実施例によって開示された技術の範囲内で、変化や置換を容易に想到でき、それらの変化や置換は、いずれも本発明の実施例の保護範囲内に含まれるとすべきである。従って、本発明の実施例の保護範囲は特許請求の範囲に記載の保護範囲に準じるべきである。
【図１】
2021512515.tif 000003
【図２】
2021512515.tif 000004
【図３】
2021512515.tif 000005
【図４】
2021512515.tif 000006
【図５】
2021512515.tif 000007
【図６】
2021512515.tif 000008
【図７】
2021512515.tif 000009
【手続補正書】
【提出日】令和2年11月11日(2020.11.11)
【手続補正１】
【補正対象書類名】特許請求の範囲
【補正対象項目名】全文
【補正方法】変更
【補正の内容】
【特許請求の範囲】
【請求項１】
第５世代移動通信技術５Ｇ通信システムに適用する、無線ローカルエリアネットワークにアクセスする方法であって、前記方法は、
ネットワーク装置が、端末装置が無線ローカルエリアネットワークにアクセスするための第１情報を決定することと、
前記ネットワーク装置が前記端末装置に第１無線リソース制御（ＲＲＣ）シグナリングを送信し、前記第１ＲＲＣシグナリングは前記第１情報を含み、それによって前記端末装置は前記第１情報に基づいて前記無線ローカルエリアネットワークにアクセスすることと、を含むことを特徴とする無線ローカルエリアネットワークにアクセスする方法。
【請求項２】
前記第１情報は、
前記端末装置の位置するセル内のアクセスポイント（ＡＰ）情報、前記端末装置が前記ＡＰにアクセスするかどうかを決定するためのパラメータ、及び前記ＡＰのバックホールリンク容量情報のうちの少なくとも１つの情報を含むことを特徴とする請求項１に記載の方法。
【請求項３】
前記ＡＰ情報は前記端末装置が利用可能な少なくとも１つのＡＰの識別情報を含み、
前記ネットワーク装置が、端末装置が無線ローカルエリアネットワークにアクセスするための第１情報を決定することは、
前記ネットワーク装置が、
前記端末装置の位置するセクタ、前記端末装置の有するビーム、前記端末装置の全地球測位システム（ＧＰＳ）情報、及び前記端末装置のパスロスのうちの少なくとも１つの情報に基づいて、前記ＡＰ情報を決定することを含むことを特徴とする請求項２に記載の方法。
【請求項４】
前記識別情報は前記ＡＰのサービスセット識別子（ＳＳＩＤ）を含むことを特徴とする請求項３に記載の方法。
【請求項５】
前記ネットワーク装置が、端末装置が無線ローカルエリアネットワークにアクセスするための第１情報を決定する前に、前記方法は更に、
前記ネットワーク装置が前記端末装置に指示情報を送信し、前記指示情報は特定アクセスポイント（ＡＰ）の信号品質に対して測定を行うように前記端末装置に指示することに用いられることと、
前記ネットワーク装置が前記端末装置から送信された前記特定ＡＰの信号品質測定レポートを受信することと、を含み、
前記ネットワーク装置が、端末装置が無線ローカルエリアネットワークにアクセスするための第１情報を決定することは、
前記ネットワーク装置が前記信号品質測定レポートに基づいて、前記パラメータを決定することを含むことを特徴とする請求項２に記載の方法。
【請求項６】
前記指示情報はより具体的に、前記特定ＡＰの有するビームの送信時間及び／又は前記特定ＡＰの有するチャネルを示すことに用いられることを特徴とする請求項５に記載の方法。
【請求項７】
前記ネットワーク装置が前記端末装置に指示情報を送信する前に、前記方法は更に、
前記ネットワーク装置が前記ネットワーク装置と前記特定ＡＰとの間の論理インタフェースを介して、前記特定ＡＰの有するビームの送信時間及び／又は前記特定ＡＰの有するチャネルを取得することを含むことを特徴とする請求項６に記載の方法。
【請求項８】
前記特定ＡＰは特定サービスセット識別子（ＳＳＩＤ）を有するＡＰであることを特徴とする請求項５〜７のいずれか１項に記載の方法。
【請求項９】
前記パラメータは受信信号強度指示（ＲＳＳＩ）を含むことを特徴とする請求項５〜８のいずれか１項に記載の方法。
【請求項１０】
前記ネットワーク装置が前記端末装置に指示情報を送信することは、
前記ネットワーク装置が前記端末装置に第２無線リソース制御（ＲＲＣ）シグナリングを送信し、前記第２ＲＲＣシグナリングは前記指示情報を含むことを含むことを特徴とする請求項５〜９のいずれか１項に記載の方法。
【請求項１１】
第５世代移動通信技術５Ｇ通信システムに適用する端末装置であって、前記端末装置は、
ネットワーク装置から送信された第１無線リソース制御（ＲＲＣ）シグナリングを受信し、前記第１ＲＲＣシグナリングは、前記ネットワーク装置により決定された、前記端末装置が無線ローカルエリアネットワークにアクセスするための第１情報を含むことに用いられる送受信ユニットと、
前記第１情報に基づいて前記無線ローカルエリアネットワークにアクセスすることに用いられる処理ユニットと、を含むことを特徴とする端末装置。
【請求項１２】
前記第１情報は、
前記端末装置の位置するセル内のアクセスポイント（ＡＰ）情報、前記端末装置が前記ＡＰにアクセスするかどうかを決定するためのパラメータ、及び前記ＡＰのバックホールリンク容量情報のうちの少なくとも１つの情報を含み、
前記処理ユニットは具体的に、
前記第１情報に基づいて、ターゲットＡＰを決定することと、
前記ターゲットＡＰを介して、前記無線ローカルエリアネットワークにアクセスすることとに用いられることを特徴とする請求項１１に記載の端末装置。
【請求項１３】
前記ＡＰ情報は前記端末装置が利用可能な少なくとも１つのＡＰの識別情報を含み、前記ＡＰ情報は、前記ネットワーク装置が、
前記端末装置の位置するセクタ、前記端末装置の有するビーム、前記端末装置の全地球測位システム（ＧＰＳ）情報、及び前記端末装置のパスロスのうちの少なくとも１つの情報に基づいて決定した情報であることを特徴とする請求項１２に記載の端末装置。
【請求項１４】
前記識別情報はＡＰのサービスセット識別子（ＳＳＩＤ）を含むことを特徴とする請求項１３に記載の端末装置。
【請求項１５】
前記パラメータは前記ネットワーク装置が特定アクセスポイント（ＡＰ）の信号品質測定レポートに基づいて決定した情報であり、
前記送受信ユニットは更に、
前記ネットワーク装置から送信された第１ＲＲＣシグナリングを受信する前に、前記ネットワーク装置から送信された指示情報を受信し、前記指示情報は前記特定ＡＰの信号品質に対して測定を行うように前記端末装置に指示することに用いられることと、
前記ネットワーク装置に前記信号品質測定レポートを送信することとに用いられることを特徴とする請求項１２に記載の端末装置。
【請求項１６】
前記指示情報はより具体的に、前記特定ＡＰの有するビームの送信時間及び／又は前記特定ＡＰの有するチャネルを示すことに用いられることを特徴とする請求項１５に記載の端末装置。
【請求項１７】
前記特定ＡＰの有するビームの送信時間及び／又は前記特定ＡＰの有するチャネルは、前記ネットワーク装置が前記ネットワーク装置と前記特定ＡＰとの間の論理インタフェースを介して取得した情報であることを特徴とする請求項１６に記載の端末装置。
【請求項１８】
前記特定ＡＰは特定サービスセット識別子（ＳＳＩＤ）を有するＡＰであることを特徴とする請求項１５〜１７のいずれか１項に記載の端末装置。
【請求項１９】
前記パラメータは受信信号強度指示（ＲＳＳＩ）を含むことを特徴とする請求項１５〜１８のいずれか１項に記載の端末装置。
【請求項２０】
前記送受信ユニットはより具体的に、
前記ネットワーク装置から送信された第２無線リソース制御（ＲＲＣ）シグナリングを受信し、前記第２ＲＲＣシグナリングは前記指示情報を含むことを特徴とする請求項１５〜１９のいずれか１項に記載の端末装置。
【国際調査報告】
2021512515.tif 000010
2021512515.tif 000011
2021512515.tif 000012
2021512515.tif 000013